(57)【要約】  【課題】  引戸全体を戸袋内に完全に収納できるようにすると共に、その状態でも引戸を引き出せるようにして、開口を最大限に活用することである。  【解決手段】  本発明の取手は、引戸の側端部を内方に切り欠いて凹部を設け、前記凹部に嵌め込むようにして取り付ける引戸用取手であって、前記取手の側面に、側面方向から内方に向かって指を差入れるための指差入れ部を設け、前記指差入れ部に、指先を引掛けて引戸を引き出すための指掛部を形成したことを特徴とする引戸用取手である。  【選択図】        図１２
2006219866.tif 000002
【特許請求の範囲】
【請求項１】
引戸の側端部を内方に切り欠いて凹部を設け、前記凹部に嵌め込むようにして取り付ける引戸用取手であって、前記取手の側面に、側面方向から内方に向かって指を差入れるための指差入れ部を設け、前記指差入れ部に、指先を引掛けて引戸を引き出すための指掛部を形成したことを特徴とする引戸用取手。
【請求項２】
引戸の側端部に取り付ける取手であって、取手の正面部又は背面部の少なくとも一方の表面が引戸の正面部又は背面部の表面に沿うように、取手の側面部の表面が引戸の側面部の表面に沿うようにして取り付けられ、取手の内方に、前記側面部の表面から対向する他の側面の方向に向かって指を差入れるための指差入れ部を設け、前記指差入れ部に、指先を引掛けて引戸を引き出すための指掛部を形成したことを特徴とする引戸用取手。
【請求項３】
引戸の側端部に取り付ける取手であって、取手の正面部の表面が引戸の正面部の表面に沿うように、取手の背面部の表面が引戸の背面部の表面に沿うように、取手の側面部の表面が引戸の側面部の表面に沿うようにして取り付けられ、取手の内方に、前記側面部の表面から対向する他の側面の方向に向かって指を差入れるための第１の指差入れ部を設け、前記第１の指差入れ部に、指先を引掛けて引戸を引き出すための第１の指掛部を形成すると共に、前記正面部の表面から対向する背面の方向に向かって指を差入れるための第２の指差入れ部を設け、前記第２の指差入れ部に、指先を引掛けて引戸を引き出すための第２の指掛部を形成したことを特徴とする引戸用取手。
【発明の詳細な説明】
【技術分野】
【０００１】
本発明は引戸用取手に関する。
【背景技術】
【０００２】
引戸を開く際に引戸全体を戸袋内に収納すると、引戸の正面や背面に設けた取手自体も戸袋内に収納されてしまい、取手を利用して引戸を引き出することができない。よって、一般的には、引戸を戸袋の奥まで引き込んだ状態でも、取手を取り付けた部分は戸袋の外に露出するように構成されている。しかし、戸袋の外に引戸の一部が露出する結果、引戸を開いた際の開口が狭くなる問題が生じる。
【０００３】
この点に鑑み、特許文献１に示すような取手が提案されている。これは、取手の取り付ける位置と、取手自体の大きさを工夫したものである。すなわち、取手の取り付け位置を引戸の側端部側により近づけると共に、取手自体の横幅を従来よりも小さくしたものである。
【特許文献１】特開平９−２５７４５
【発明の開示】
【発明が解決しようとする課題】
【０００４】
しかし、この取手であっても、特許文献１の図４に示されるとおり、引戸は戸袋に完全に収まっておらず、戸袋から引戸の側端部がはみ出しており、開口を最大限に活用するには至っていない。
【０００５】
そこで、本発明の解決しようとする課題は、引戸全体を戸袋内に完全に収納できるようにすると共に、その状態でも引戸を引き出せるようにして、開口を最大限に活用することにある。
【課題を解決するための手段】
【０００６】
本発明の取手は、引戸の側端部を内方に切り欠いて凹部を設け、前記凹部に嵌め込むようにして取り付ける引戸用取手であって、前記取手の側面に、側面方向から内方に向かって指を差入れるための指差入れ部を設け、前記指差入れ部に、指先を引掛けて引戸を引き出すための指掛部を形成したことを特徴とする引戸用取手である。
【０００７】
また、本発明の取手は、引戸の側端部に取り付ける取手であって、取手の正面部又は背面部の少なくとも一方の表面が引戸の正面部又は背面部の表面に沿うように、取手の側面部の表面が引戸の側面部の表面に沿うようにして取り付けられ、取手の内方に、前記側面部の表面から対向する他の側面の方向に向かって指を差入れるための指差入れ部を設け、前記指差入れ部に、指先を引掛けて引戸を引き出すための指掛部を形成したことを特徴とする引戸用取手である。
【０００８】
また、本発明の取手は、引戸の側端部に取り付ける取手であって、取手の正面部の表面が引戸の正面部の表面に沿うように、取手の背面部の表面が引戸の背面部の表面に沿うように、取手の側面部の表面が引戸の側面部の表面に沿うようにして取り付けられ、取手の内方に、前記側面部の表面から対向する他の側面の方向に向かって指を差入れるための第１の指差入れ部を設け、前記第１の指差入れ部に、指先を引掛けて引戸を引き出すための第１の指掛部を形成すると共に、前記正面部の表面から対向する背面の方向に向かって指を差入れるための第２の指差入れ部を設け、前記第２の指差入れ部に、指先を引掛けて引戸を引き出すための第２の指掛部を形成したことを特徴とする引戸用取手である。
【０００９】
このような本発明の取手を用いれば、引戸全体を戸袋内に収納した状態でも、引戸の側面方向から、取手内方の指差入れ部に指を差入れ、指掛部に指先を引掛けることができる。
【発明の効果】
【００１０】
本発明の引戸用取手によれば、引戸の側面部の方向から指を差入れることがきる指差入れ部を設け、その指差入れ部に指掛部を形成しているから、戸袋内に引戸全体を完全収納したとしても、引戸の側面方向から、取手の指差入れ部に指を差入れ、指掛部に指先を引掛けることにより、引戸を引き出すことができるので、開口を最大限に活用することができる。
【発明を実施するための最良の形態】
【００１１】
以下、本発明を実施するための最良の形態を、実施例として示す各図と共に説明する。
【実施例】
【００１２】
まず、本発明の引戸用の取手Ｈの取り付け状態について説明する。本発明の引戸用取手Ｈは、図１２のように、引戸Ｄの側端部に取り付けるものである。戸袋を構成する壁Ｗの間に引戸全体を収納するために、引戸Ｄの側端部に取手Ｈを埋め込むようにして取り付ける。具体的には、引戸Ｄの側端部を内方に切り欠いて凹部を設け、取手Ｈをその凹部に嵌め込むようにして取り付けている。嵌め込まれた本発明の引戸用取手Ｈは、側面側から内方に向けてネジ止されて、引戸Ｄに固定される。
【００１３】
取手Ｈを引戸Ｄに取り付けると、図１２のように、取手Ｈの側面部１の表面が引戸Ｄの側面部２の表面に沿うようになる。すなわち、引戸Ｄの側面部２の表面と取手Ｈの側面部１の表面がほぼ面一となる。なお、本実施例における取手Ｈの表面と引戸Ｄの表面との段差は約１．５ｍｍ〜３．０ｍｍである。
【００１４】
同様に、取手Ｈの正面部１１の表面が引戸Ｄの正面部２１の表面に沿うようになり、引戸Ｄの正面部２１の表面と取手Ｈの正面部１１の表面がほぼ面一になる。また、取手Ｈの背面部１２（図２参照）の表面が引戸の背面部２２（図示しない）の表面に沿うようになり、引戸Ｄの背面部２２の表面と、取手Ｈの背面部１２の表面がほぼ面一になる。このようにすると、取手Ｈを取り付けた部位において、取手Ｈを取り付ける前と取り付けた後で、引戸Ｄの横幅と厚みが殆ど変わらない。
【００１５】
次に、取手Ｈの具体的構成について説明する。
【００１６】
図１を参照して、１が側面部、３が指差入れ部である。側面部１には、側面部１の方向から取手Ｈの内方に向けて指を差入れる開口が有り、開口を含めて指を差入れる空間が指差入れ部３を形成する。指差入れ部３は略四角柱が丁度収まるような空間であり、天壁３１（図示しない）、底壁３２、奥壁３３、側壁３４、低側壁３５によって画される。低側壁３５は他の壁に比して背の低い壁であり、奥壁３３に対して垂直に立ち上がっている。この低側壁３５の内面は、差入れた指を引っ掛けることができる第１の指掛部４である。
【００１７】
このような引戸用取手Ｈであれば、図１１のように、引戸全体が収納された状態でも、側面部１の指差入れ部３に指を差入れることができ、差入れた指先を第１の指掛部４に引っ掛けることができる。その状態で引戸用取手Ｈを引っ張れば、引戸Ｄを引き出すことができる（図１２参照）。
【００１８】
また、図１を参照して、１１が正面部、５は第２の指差入れ部、上述した側壁３４は第２の指掛部になる。正面部１１には、正面部１１の方向から取手の内方に向けて指を差入れる開口があり、開口を含め指を差入れる空間が第２の指差入れ部５を形成する。なお、本実施例では、第１の指差入れ部３と第２の指差入れ部５とが空間的に連結している。よって、引戸Ｄを正面側から利用する場合の開口を含めた空間を第２の指差入れ部５として説明している。第２の指差入れ部５を画する壁のうち、側壁３４は第２の指掛部として機能する。
【００１９】
このような引戸用取手Ｈであれば、引戸Ｄによって開口が閉められた状態で、引戸Ｄの正面側に位置して引戸Ｄを開こうとしたときでも、正面部１１の第２の指差入れ部５に指を差入れることができ、差入れた指先を第２の指掛部３４に引っ掛けることができる。その状態で引戸用取手Ｈを引き込めば、引戸Ｄを戸袋内に収納することができる。
【００２０】
また、図２を参照して、１２が背面部、６は第３の指差入れ部、７は第３の指掛部である。背面部１２には、背面部１２の方向から取手Ｈの内方に向けて指を差入れる開口があり、開口を含め指を差入れる空間が第３の指差入れ部６を形成する。第３の指差入れ部６を画する壁のうち、側壁が第３の指掛部７である。
【００２１】
このような引戸用取手Ｈであれば、引戸Ｄが閉められた状態から、引戸Ｄの背面側に位置して引戸Ｄを開こうとしたときでも、背面部１２の第３の指差入れ部６に指を差入れることができ、差入れた指先を第３の指掛部７に引っ掛けることができる。この状態で引戸用取手Ｈを引き込めば、引戸Ｄを戸袋内に収納することができる。
【００２２】
このように本実施例は単一の取手で３つの役割を果している。引戸Ｄの正面側、背面側、側面側にそれぞれ指差入れ部および指掛部を形成しており、第１から第３の指差入れ部、第１から第３の指掛部が存在する。このようなものであると、部材数が少なくて済むと共に、構造簡易にして、しかも、取り付け作業が容易となり、実施形態として非常に好ましい。
【００２３】
すなわち、本実施例の取手は、取手Ｈの正面部１１の表面が引戸Ｄの正面部２１の表面に沿うように、取手Ｈの背面部１２の表面が引戸Ｄの背面部２２の表面に沿うように、取手の側面部１の表面が引戸の側面部２の表面に沿うようにして取り付けられる。そして、取手Ｈの内方に、側面部１の表面から対向する他の側面の方向に向かって指を差入れるための指差入れ部３を設け、指差入れ部３に指先を引掛けて引戸Ｄを引き出すための第１の指掛部４を形成し、正面部１１の表面から対向する背面の方向に向かって指を差入れるための第２の指差入れ部５を設け、第２の指差入れ部５に指先を引掛けて引戸Ｄを引き込むための第２の指掛部３４を形成し、背面部１２の表面から対向する正面の方向に向かって指を差入れるための第３の指差入れ部６を設け、第３の指差入れ部６に指先を引掛けて引戸Ｄを引き込むための第３の指掛部７を形成したことを特徴とするものであり、上記のような好ましい効果を奏する。
【００２４】
なお、本実施例では、第１と第２の指差入れ部の奥行をやや深くしているが、指差入れ部の奥行は指先が引っ掛かる程度であれば足りる。
【００２５】
また、本実施例では、第１の指差入れ部と第２の指差入れ部が空間的に連結しているが、必ずしも連結する必要はなく、互いに壁面を介して独立させても良い。
【００２６】
また、本発明は主に引戸を両側戸袋に収納する場合を念頭に説明したが、片側戸袋の場合でも適用できる。また、二重片引戸や引分け戸などにも当然適用できる。また、引戸を、直接壁面間に収納する場合も適用できる。
【００２７】
また、本実施例は、取手の表面部、背面部、側面部に指差入れ部を形成しているが、その形成する開口の大きさによっては、表面部等の面積が極めて小さくなる場合がある。
【００２８】
また、本実施例は引戸に取手を取り付ける場合であるが、引戸自体の形状を加工して、引戸自体に本発明の取手同様の構成を形成することもできる。
【００２９】
すなわち、引戸の側面部の一部を内方に切り欠いて凹部を設け、当該凹部を指差入れ部とし、指差入れ部に指引掛部を形成することもできる。もちろん、これに加えて、引戸の表面部の一部を切り欠き、これと対応する背面側の位置で、背面部にも切り欠きを形成し、それぞれに、指差入れ部と指引掛部を形成することもできる。
【図面の簡単な説明】
【００３０】
【図１】本発明の実施例の斜視図である。
【図２】本発明の実施例を示す斜視図である。
【図３】本発明の実施例を示す正面図である。
【図４】本発明の実施例を示す背面図である。
【図５】本発明の実施例を示す平面図である。
【図６】本発明の実施例を示す右側面図である。
【図７】本発明の実施例を示す左側面図である。
【図８】本発明の実施例を示す図３のＡ−Ａ断面図である。
【図９】本発明の実施例を示す図３のＢ−Ｂ断面図である。
【図１０】本発明の実施例を示す図３の取り付け状態におけるＢ−Ｂ断面図である。
【図１１】本発明の実施例を引戸に取り付け、引戸全体を戸袋内に収納した状態図。
【図１２】本発明の実施例を引戸に取り付け、引戸を戸袋外に引き出した状態図。
【符号の説明】
【００３１】
Ｄ  引戸
Ｈ  取手
Ｗ  戸袋（壁）
１  取手の側面部
２  引戸の側面部
１１  取手の正面部
２１  引戸の正面部
１２  取手の背面部
２２  引戸の背面部
３  指差入れ部（第１）
３５  低側壁
４  指掛部（第１）
５  指差入れ部（第２）
３４  指掛部（第２）
６  指差入れ部（第３）
７  指掛部（第３）
【図１】
2006219866.tif 000003
【図２】
2006219866.tif 000004
【図３】
2006219866.tif 000005
【図４】
2006219866.tif 000006
【図５】
2006219866.tif 000007
【図６】
2006219866.tif 000008
【図７】
2006219866.tif 000009
【図８】
2006219866.tif 000010
【図９】
2006219866.tif 000011
【図１０】
2006219866.tif 000012
【図１１】
2006219866.tif 000013
【図１２】
2006219866.tif 000014